(57)【要約】【課題】製造時やメンテナンス時等に、圧縮機が停止していることが起動遅延時間中であるか、何らかの異常によるものであるかを即座に確認することができる冷凍サイクル装置を提供する。【解決手段】冷凍サイクル装置は、圧縮機２８を有する冷媒回路を備えている。圧縮機２８の運転を制御する制御装置４４と、表示器４２とを備える。制御装置４４は、電源投入後、所定の起動遅延時間が経過するまで当該圧縮機２８の起動を禁止すると共に、当該起動遅延時間の経過状態を表示器４２に表示する。【選択図】図３
2008241066.tif 000002
【特許請求の範囲】
【請求項１】
圧縮機を有する冷媒回路を備えた冷凍サイクル装置において、
前記圧縮機の運転を制御する制御手段と、表示手段を備え、
前記制御手段は、電源投入後、所定の起動遅延期間が経過するまで当該圧縮機の起動を禁止すると共に、当該起動遅延時間の経過状態を前記表示手段にて表示することを特徴とする冷凍サイクル装置。
【請求項２】
前記制御手段は、前記圧縮機の起動回数を積算しており、当該積算値を前記表示手段にて表示することを特徴とする請求項１に記載冷凍サイクル装置。
【発明の詳細な説明】
【技術分野】
【０００１】
本発明は、圧縮機を有する冷媒回路を備えた冷凍サイクル装置に関するものである。
【背景技術】
【０００２】
従来より例えば業務用冷蔵庫等（冷凍サイクル装置）には貯蔵室内を冷却するための冷却装置が設けられている。この冷却装置は圧縮機、凝縮器、膨張弁及び冷却器等を順次環状に配管接続して構成された冷媒回路を備えており、圧縮機が運転されると、低圧側から吸い込まれて圧縮されて圧縮機から吐出された高温高圧のガス冷媒は配管から凝縮器に流入する。凝縮器に流入した高温高圧のガス冷媒は、そこで放熱して凝縮液化された後、膨張弁で絞られ、次に冷却器に流入し、そこで蒸発気化する。そのときに周囲から熱を吸収することにより、冷却作用を発揮し、再び圧縮機の低圧側から吸い込まれる冷凍サイクルが構成される（例えば、特許文献１参照）。
【０００３】
この圧縮機は貯蔵室内の所定の上限温度で起動され、冷却器による冷却によって貯蔵室内が下限温度まで低下したところで停止されるサイクル運転が成される。そして、圧縮機が停止した後は、冷媒回路の高圧側と低圧側の圧力差は時間の経過と共に小さくなっていくが、圧縮機が停止した直後に再起動されると、冷媒回路の高圧側と低圧側の圧力差が依然大きい状態であるため圧縮機は高圧状態のところに更に冷媒を送り出さなければならなくなり、圧縮機には多大な負荷が加わる。
【０００４】
係る過負荷によって巻線焼損（圧縮機の駆動用モータの巻線焼損）等が発生するため、従来より例えば業務用冷蔵庫のコンセントを差し込んで圧縮機に電源が投入された後、及び、圧縮機のサイクル運転中に停止したあと等は直ぐに圧縮機が起動しないように、圧縮機に電源が投入された後、及び、圧縮機の運転が停止した後、所定時間は圧縮機の起動を禁止する起動遅延時間（例えば、５分間）が設定されている。
【０００５】
次に、このような圧縮機の遅延起動を図５のフローチャートを用いて詳しく説明する。まず、ステップＳ１０で使用者により電源が投入された時点で、業務用冷蔵庫の制御装置は、起動遅延時間の間、圧縮機の駆動をＯＮ／ＯＦＦするマグネットスイッチをＯＦＦ状態のままとしている。即ち、制御装置は、業務用冷蔵庫（冷凍サイクル装置）に電源が投入された時点では圧縮機の運転を禁止している。言い換えると、制御装置は、電源が投入された時点で、圧縮機の運転を直ぐに実行しない。
【０００６】
また、制御装置は電源投入時点で全てをリセットした後、ステップＳ１１で圧縮機を起動する迄の時間（例えば５分）を起動遅延時間としてメモリに記憶する。次にステップＳ１２に進んで、制御装置は自らのタイマー機能を使用してメモリに記憶された圧縮機の起動遅延時間を減算（カウントダウン）する。
【０００７】
次に、ステップＳ１３で制御装置は、起動遅延時間が０：００秒になったか否か判断し、否の場合はステップＳ１２に戻り、以後これを繰り返してメモリの起動遅延時間が０：００秒になるのを待つ。これにより、圧縮機の運転が一旦停止した後は直ぐに圧縮機が起動しないようにして、圧縮機を保護する。
【０００８】
そして、電源投入から５分が経過し、ステップＳ１３で起動遅延時間が０：００秒になった場合、制御装置はステップＳ１４に進み、マグネットスイッチに通電してＯＮし、圧縮機の駆動用モータに電源が投入して、圧縮機の運転を開始するものであった。
【０００９】
また、係る起動遅延時間は、圧縮機のサイクル運転中における停止後にも実施されるものであった。
【特許文献１】特開平８−２８９６９号公報
【発明の開示】
【発明が解決しようとする課題】
【００１０】
このように、従来では電源投入後、或いは、圧縮機が一旦停止した後は、起動遅延時間が経過するするまで待つのみであったため、電源投入後、製造時やメンテナンス時等には圧縮機が起動するまで、起動遅延時間中であって圧縮機が停止しているのか、或いは、何らかの異常によって圧縮機が停止しているのか判断し難いという問題があった。
【００１１】
本発明は、係る従来技術の課題を解決するために成されたものであり、製造時やメンテナンス時等に、圧縮機が停止していることが起動遅延時間中であるか、何らかの異常によるものであるかを即座に確認することができる冷凍サイクル装置を提供することを目的とする。
【課題を解決するための手段】
【００１２】
即ち、本発明の冷凍サイクル装置は、圧縮機を有する冷媒回路を備えたものであって、圧縮機の運転を制御する制御手段と、表示手段を備え、制御手段は、電源投入後、所定の起動遅延期間が経過するまで当該圧縮機の起動を禁止すると共に、当該起動遅延時間の経過状態を表示手段にて表示することを特徴とする。
【００１３】
また、請求項２の発明の冷凍サイクル装置は、上記において、制御手段は、圧縮機の起動回数を積算しており、当該積算値を表示手段にて表示することを特徴とする。
【発明の効果】
【００１４】
本発明によれば、圧縮機を有する冷媒回路を備えた冷凍サイクル装置において、圧縮機の運転を制御する制御手段と、表示手段を備え、制御手段は、電源投入後、所定の起動遅延期間が経過するまで当該圧縮機の起動を禁止すると共に、当該起動遅延時間の経過状態を表示手段にて表示するようにしたので、製造時やメンテナンス時に、圧縮機が起動遅延時間中であることにより停止しているのか、或いは、何らかの異常によって停止しているのかを即座に確認することができるようになる。また、圧縮機が起動するまでの時間が把握でき、且つ、当該起動遅延時間が経過した時点で正常に圧縮機が起動するか否かも確認することができるので、生産性並びにメンテナンス作業性を著しく改善することが可能となるものである。
【００１５】
また、請求項２の発明によれば、上記に加えて制御手段は、圧縮機の起動回数を積算しており、当該積算値を表示手段にて表示するようにしたので、圧縮機及び当該圧縮機に関連する部品の経年劣化状態を正確に把握することができるようになり、修理或いは部品交換の判断を的確に行い、円滑なメンテナンスを実現することが可能となるものである。
【発明を実施するための最良の形態】
【００１６】
本発明は、製造時やメンテナンス時に、圧縮機の停止が起動遅延時間によるものであるか、何らかの異常によって停止しているのかを即座に確認することができるようにすることを最も主要な特徴とする。圧縮機が起動遅延時間中であるか、何らかの異常によって停止しているのかを即座に確認するという目的を、圧縮機の起動遅延時間の経過状態を表示することにより実現した。
【００１７】
以下、本発明の実施の形態を図面に基づいて説明する。図１は本発明の冷凍サイクル装置の実施例としての業務用冷蔵庫Ｒの斜視図、図２は図１の業務用冷蔵庫Ｒの縦断側面図、図３は図１の業務用冷蔵庫Ｒを制御する制御回路のブロック図をそれぞれ示している。実施例の業務用冷蔵庫Ｒは、たとえばホテルやレストランの厨房等に設置される縦型の業務用冷蔵庫であり、この業務用冷蔵庫Ｒは前面に開口する断熱箱体１８により本体が構成されている。
【００１８】
この業務用冷蔵庫Ｒは、図１、図２に示すように断熱箱体１８内部に貯蔵室２０を有し、該貯蔵室２０内上部には、冷却装置２４を構成する冷却器３５及び冷却器３５の近傍に冷却器用送風機３６が取り付けられ、これにより、貯蔵室２０内は所定の温度に冷却される。冷却器３５及び冷却器用送風機３６の下方にはドレンパン３７が取り付けられており、このドレンパン３７は、冷却器３５から生じたドレン水を受容する。このドレンパン３７の後方には、図示しないドレンホースが取り付けられており、このドレンホースはドレンパン３７から排出されたドレン水を、断熱箱体１８の底面下側に排出する。
【００１９】
そして、貯蔵室２０から冷却器用送風機３６よって冷却室３８に吸い込まれた冷気は、冷却器３５と熱交換された後、冷却室３８後方から吐出され、貯蔵室２０内が所定の温度に冷却される。尚、図中断熱箱体１８の底面四隅に設けられている５７は、業務用冷蔵庫Ｒの設置場所の床面と断熱箱体１８底面との間に所定間隔を存するために設けられる支持部材である。
【００２０】
一方、断熱箱体１８の天面には、前面パネル２５及び両側面及び後面を構成するパネル２６によって機械室２７が画成されている。機械室２７内には、冷却装置２４を構成する圧縮機２８や凝縮器２９等が設置され、冷却器３５及び図示しない膨張弁等と共に冷却装置２４の周知の冷媒回路が構成されている。また、前面パネル２５には例えばＬＣＤ（７セグメントの４桁ＬＥＤでも差し支えない）にて構成された表示器４２（本発明の表示手段）が設けられており、この表示器４２には、後述する制御装置４４（本発明の制御手段に相当）から出力されるタイマーの時間及び貯蔵室２０内の温度等が表示される。尚、貯蔵室２０内の詳細の構造及び制御装置４４は後で詳述する。
【００２１】
また、貯蔵室２０の前面開口２２には、横方向の中仕切２３によって中央部にて上下に仕切られている。そして、該中仕切２３によって仕切られた貯蔵室２０の、上下の開口２２は二組の観音開き式の扉（断熱扉）第１の扉２、第２の扉３によって開閉自在に閉塞されている。また、上下の開口２２の中央部にそれぞれ位置する貯蔵室２０の天面及び中仕切２３の下面には、案内部材１１がそれぞれ取り付けられている。尚、図２において３０は、凝縮器用送風機である。
【００２２】
業務用冷蔵庫Ｒの前面に向かって右側に位置する、第１の扉２の内面側には、保持部材７１が取り付けられている。この保持部材７１は上端及び下端が図示しないネジにより固定され、係る保持部材７１には、仕切体７０が取り付けられている。仕切体７０は、扉２の長手方向に延在していると共に、この延在している軸を中心として保持部材７１に回動自在に枢支されている。保持部材７１は、内方に向けて突出して形成されるものである。
【００２３】
仕切体７０の前面には、鋼板製の前面板７２が取り付けられており、仕切体７０の上端にはそれぞれ前記案内部材１１で案内されるための案内溝（案内部材１１が係合する）が形成されたキャップ７３が嵌合されている。係る構成で、扉２を開くと案内部材１１と前記案内溝との係合によって仕切体７０は案内され、前面板７２が他方の扉３方向に向くように時計回りに回動される。これによって、仕切体７０は他方の扉３を避けて前方に移動可能となり、両扉２、３は独立して開閉可能となる。尚、各扉２、３は、前面に取り付けられるハンドル５０、５０を手前に引くことにより開閉自在とされている。
【００２４】
他方、前記貯蔵室２０内は、当該貯蔵室２０の背面中央部に上下に渡って後棚支柱１２が設けられている。更に、貯蔵室２０の両側面には、前部及び後部に位置してそれぞれ上下に渡って棚支柱１３が設けられている。これらの後棚支柱１２及び棚支柱１３には、それぞれ上下に渡って複数の係合孔１２Ａ及び１３Ａが穿設されており、これら後棚支柱１２及び棚支柱１３に後述する棚１５が貯蔵室２０内の上下方向に複数段架設される。
【００２５】
また、これらの後棚支柱１２及び棚支柱１３の下端は、最下段に位置する棚１５が取り付け可能とされる位置、例えば前記中仕切２３により区画される下方の貯蔵室２０の中央付近まで延在されているものとする。また、貯蔵室２０の背面には、後棚支柱１２の両側に位置して、間隔子４０が設けられている。該間隔子４０は、後棚支柱１２及び棚支柱１３の上端よりも上方から後棚支柱１２及び棚支柱１３の下端よりも下方に延在して形成される硬質合成樹脂製の柱部材である。この間隔子４０は、図示しないが貯蔵室２０の背面にネジ止め固定されている。
【００２６】
各支柱１２、１３には、それぞれ棚１５を架設するための係合爪１４が設けられている。この係合爪１４は、各支柱１２、１３に形成された前記係合孔１２Ａ及び１３Ａに係合する図示しない係合部と、上面に棚１５を載置し、係止させるための係止部（図示せず）により構成されている。
【００２７】
そして、棚１５を貯蔵室２０内に架設する場合には、まず、棚１５を架設する後棚支柱１２及び棚支柱１３の係合孔１２Ａ及び１３Ａに係合爪１４を取り付ける。次に、後棚支柱１２に取り付けられた係合爪１４の図示しない係止部に棚１５の突出部（図示せず）を係合させた後、棚１５の側辺を構成する図示しない枠部材を棚支柱１３に取り付けられた係合爪１４の係止部に係合させる。
【００２８】
これにより、棚１５の後辺と貯蔵室２０の背面間に、所定の間隔を構成しながら棚１５を安定して架設することができる。また、棚１５は、貯蔵室２０の側面に取り付けられた棚支柱１３の他に、棚１５の後辺中央部を後棚支柱１２により支持されるので、棚１５は安定して支持される。尚、５１は、格子状に形成された底敷で、この底敷５１上に食品等の物品が載置されることにより、貯蔵室２０内に物品が収納される。
【００２９】
また、業務用冷蔵庫Ｒは、当該業務用冷蔵庫Ｒの運転制御を行う汎用マイクロコンピュータ等で構成された前記制御装置４４を備えている。該制御装置４４は、図３に示すように、内部にタイマー機能、演算機能、停電時でもデータが抹消されずに書き換え可能な不揮発性のメモリを備えている。このメモリには圧縮機２８の遅延起動を行うための起動遅延時間が記憶されている。更に、メモリには後述する圧縮機２８の起動回数も記憶保存される。
【００３０】
ここで起動遅延時間の説明を行う。前記圧縮機２８の製造時やメンテナンス時等に、電源が投入された時点から圧縮機２８が起動するまでに所定時間遅らせて起動させる、圧縮機２８の遅延起動の時間を起動遅延時間と称す。この起動遅延時間によって、制御装置４４は、電源が投入されてから所定時間後に圧縮機２８を遅延起動するように構成している。尚、本実施例では起動遅延時間を５分間としている。
【００３１】
また、制御装置４４は、電源が投入された時点から圧縮機２８が起動するまでの起動遅延時間の減算（カウントダウン）が終了するまで、圧縮機２８の起動を禁止する。即ち、制御装置４４は、電源がＯＮしてから圧縮機２８が起動するまでの起動遅延時間の減算を実行している最中は、圧縮機２８の起動を禁止し、減算が終了して起動遅延時間が０分００秒になったら圧縮機２８が起動するように構成されている。以降０分００秒を０：００秒と称す。
【００３２】
該制御装置４４には、マグネットスイッチ２８Ａ、リレー３６Ａ、３０Ａ及び貯蔵室２０内の温度を検出する温度センサ４６が接続されている。このマグネットスイッチ２８Ａには、冷却装置２４を構成する圧縮機２８が接続されており、このマグネットスイッチ２８Ａは、制御装置４４に制御されて圧縮機２８を運転／停止（ＯＮ／ＯＦＦ）する。尚、業務用冷蔵庫Ｒには、単相１００Ｖ電源が使用される。該圧縮機２８、冷却器用送風機３６凝縮器用送風機３０等は交流１００Ｖで駆動するものである。
【００３３】
また、リレー３６Ａには、冷却装置２４を構成する冷却器３５の冷却器用送風機３６が接続されており、このリレー３６Ａは、制御装置４４に制御されて冷却器用送風機３６を運転／停止（ＯＮ／ＯＦＦ）する。また、リレー３０Ａには、冷却装置２４を構成する凝縮器２９の凝縮器用送風機３０が接続されており、このリレー３０Ａは、制御装置４４に制御されて凝縮器用送風機３０を運転／停止（ＯＮ／ＯＦＦ）する。そして、制御装置４４は、温度センサ４６が検出した貯蔵室２０内の温度によって、マグネットスイッチ２８Ａ、リレー３６Ａ、３０Ａを閉／開（ＯＮ／ＯＦＦ）し、圧縮機２８、冷却器用送風機３６、凝縮器用送風機３０の運転を制御する。
【００３４】
このように構成された業務用冷蔵庫Ｒの運転制御を説明する。この場合の業務用冷蔵庫Ｒの運転制御としては圧縮機２８の遅延起動の説明と、マグネットスイッチ２８Ａが故障したときの判別方法の説明とに分けて説明する。
【００３５】
（１）圧縮機２８の遅延起動の説明
図４のフローチャートを用いて圧縮機２８の遅延起動の説明を行う。まず、ステップＳ１で、使用者により電源が投入された時点では、制御装置４４は、起動遅延時間の間、圧縮機２８の駆動をＯＮ／ＯＦＦするマグネットスイッチをＯＦＦ状態のままとして、圧縮機２８の運転を禁止する。言い換えると、制御装置４４は、電源が投入された時点では圧縮機２８の運転を直ぐに実行しない。
【００３６】
そして、ステップＳ１で全てをリセットした後、制御装置４４はステップＳ２に進んで、圧縮機２８を遅延起動する迄の起動遅延時間（５分）をメモリに記憶する。そして、制御装置４４はステップＳ３で、メモリに記憶した起動遅延時間を表示器４２に表示（例えば、５：００秒と秒単位で表示）し、ステップＳ４に進む。
【００３７】
そこで、制御装置４４は、圧縮機２８の起動遅延時間から減算（例えば１秒のカウントダウン）を行い、ステップＳ５でメモリの起動遅延時間が０：００秒になったか否か判断する。ここでは否であるからステップＳ３に戻り、表示器４２に残り時間（４：５９秒）を表示する。以後これを繰り返す。即ち、制御装置４４は、電源が投入された時点から圧縮機２８が遅延起動するまでの起動遅延時間の減算を行い、その状態（起動遅延時間の経過状態）を例えば１秒単位で表示器４２に表示する。
【００３８】
そして、５分が経過し、ステップＳ５でメモリ内の起動遅延時間の減算結果が０：００秒になったら、制御装置４４はステップＳ６に進み、マグネットスイッチ２８Ａに通電する。これによって、マグネットスイッチ２８ＡがＯＮし、図示しない駆動用モータ（圧縮機２８の駆動用モータ）に電源が投入されて、圧縮機２８が起動される。
【００３９】
このとき、制御装置４４は同時にリレー３６Ａ、３０Ａに電源を投入してＯＮし、業務用冷蔵庫Ｒの制御運転を開始する。制御装置４４は、温度センサ４６が検出した貯蔵室２０内の温度が所定の上限温度に上昇した場合、マグネットスイッチ２８Ａ、リレー３６Ａ、３０ＡのＯＮし、下限温度でＯＦＦすることで圧縮機２８、冷却器用送風機３６、凝縮器用送風機３０のサイクル運転を実行し、貯蔵室２０内を所定の冷蔵温度に維持する。
【００４０】
このとき、ステップＳ３では表示器４２に圧縮機２８が遅延起動されるまでの時間が分と秒単位で表示される。これにより、使用者やメンテナンス業者等はあと何分何秒後に圧縮機２８が起動するのかを把握することができるので、圧縮機２８が起動していなくても、圧縮機２８が故障していると判断する等といった間違いを未然に回避することができる。
【００４１】
このように、業務用冷蔵庫Ｒには、圧縮機２８の運転を制御する制御装置４４と、表示器４２とを備えており、制御装置４４は、電源投入後、及び、圧縮機２８の停止後、圧縮機２８が遅延起動する所定の起動遅延時間が経過するまでは、圧縮機２８の起動を禁止すると共に、表示器４２には起動遅延時間の減算中の残り時間を秒単位で表示するようにしているので、製造時やメンテナンス時に、圧縮機２８が起動遅延時間中であることにより停止しているのか、或いは、業務用冷蔵庫Ｒが何らかの異常によって停止しているのかを即座に確認することができる。
【００４２】
また、表示器４２に秒単位で表示された起動遅延時間の減算を視認することで、圧縮機２８が起動するまでの時間が即座に把握でき、且つ、表示器４２に表示された起動遅延時間の減算が終了した時点で圧縮機２８が正常に起動するか否かも確認することができる。従って、業務用冷蔵庫Ｒの生産性並びにメンテナンス作業性を著しく改善することができるようになる。
【００４３】
尚、上記は業務用冷蔵庫Ｒに電源が投入された場合の動作について説明したが、通常のサイクル運転中に圧縮機２８が停止した後も、制御装置４４は起動遅延時間中当該圧縮機２８の再起動を禁止する。即ち、起動遅延時間内に貯蔵室２０内の温度が所定の上限温度に達したときは、起動遅延時間が経過した時点で圧縮機２８を再起動する。また、起動遅延時間が経過した後に上限温度達したときは、当該上限温度に達した時点で圧縮機２８を再起動させる。そして、同様にこの起動遅延時間の減算結果を表示器４２に表示するものであるが、サイクル運転中である為、この場合の表示を行うか行わないかを図示しない操作スイッチにより設定することができるよう構成されている。
【００４４】
（２）マグネットスイッチ２８Ａが故障したときの判別方法
例えば、圧縮機２８をＯＮ／ＯＦＦするマグネットスイッチ２８には比較的大きな電流が流れるため、経年劣化で故障（接点の溶着や接触不良）が発生する。そして、その寿命は現段階では圧縮機２８の起動回数にして例えば約４０万回程とされている。
【００４５】
係るマグネットスイッチ２８Ａに故障が発生したとき、その寿命を全うして壊れたのか、何らかの不良が原因で壊れたのか、従来では判別し難かった。このため、故障の原因がマグネットスイッチ２８Ａの寿命で壊れたのか、他に不具合が発生したのか不明であることにより、圧縮機２８の起動回数がマグネットスイッチ２８Ａの寿命である約４０万回を超えていても、壊れたマグネットスイッチ２８Ａが寿命で壊れたと言い難く、部品交換しても請求書を出し難かった。そこで、本発明では圧縮機２８の起動回数からその壊れた原因を判別できるようにしている。尚、制御装置４４のメモリには、圧縮機２８が起動された回数を記憶し、その起動回数を表示器４２に表示できるように構成されている。
【００４６】
即ち、制御装置４４は、圧縮機２８が製造された後、マグネットスイッチ２８Ａに通電されて、圧縮機２８が起動する度に、一回々その圧縮機２８の起動をメモリ（不揮発性メモリ）に記憶し、積算していく。そして、積算された圧縮機２８の起動回数は、使用者やメンテナンス業者等が表示器４２（タッチパネルの場合）、或いは、他の場所に設けられた操作スイッチ（図示せず）を操作することにより、表示器４２に表示できるように構成されている。
【００４７】
この場合、圧縮機２８の起動回数は、圧縮機２８が製造された後、コンセントが差し込まれてマグネットスイッチ２８Ａに通電され、圧縮機２８が起動された回数と、貯蔵室２０内の温度を所定の冷却／冷凍温度に維持するために制御装置４４が圧縮機２８（マグネットスイッチ２８Ａ）をＯＮ／ＯＦＦした回数（圧縮機２８がＯＮされた回数）の双方が圧縮機２８の起動回数としてメモリに記憶され、積算されることになる。
【００４８】
そして、マグネットスイッチ２８Ａに故障が発生したとき、使用者やメンテナンス業者等が操作スイッチを操作すると、制御装置４４はメモリに記憶された圧縮機２８の起動回数を表示器４２に表示させる。表示器４２に表示させた圧縮機２８の起動回数が、例えば５０万回に達している場合には、既にそれらの部品の対応年数である４０万回を大きく超えていることになるので、故障の原因が寿命であることが判明する。これにより、故障した部品が寿命を全うして壊れたものであると顧客に告げることができるので、壊れたマグネットスイッチ２８Ａを交換した場合でも請求書を出し易くなる。また、故障が発生した際、当該故障したマグネットスイッチ２８Ａの性能評価も著しく容易となる。
【００４９】
尚、上記はマグネットスイッチ２８Ａの故障について説明したが、圧縮機２８やその他の関連部品が故障した際にも、圧縮機２８の起動回数に基づく評価は極めて有効である。
【００５０】
このように、制御装置４４は、圧縮機２８の起動回数を積算してメモリに記憶し、使用者やメンテナンス業者等により図示しない操作スイッチが操作されることにより、メモリに記憶された積算値を表示器４２にて表示するようにしている。これにより、圧縮機２８及び当該圧縮機２８に関連する部品の経年劣化状態を正確に把握することができるようになり、業務用冷蔵庫の修理或いは部品交換の判断を的確に行うことができて、円滑なメンテナンスを実現することが可能となる。
【００５１】
尚、冷凍サイクル装置としては上述した業務用冷蔵庫に限らず、低温ショーケースやプレハブ冷蔵庫、家庭用冷蔵庫や空気調和機等にも本発明は有効である。
【図面の簡単な説明】
【００５２】
【図１】本発明の冷凍サイクル装置の実施例としての業務用冷蔵庫の斜視図である。
【図２】図１の業務用冷蔵庫の縦断側面図である。
【図３】図１の業務用冷蔵庫の制御回路のブロック図である。
【図４】図１の業務用冷蔵庫の圧縮機の遅延起動を説明するフローチャートである。
【図５】従来の業務用冷蔵庫の圧縮機の遅延起動を説明するフローチャートである。
【符号の説明】
【００５３】
２０  貯蔵室
２４  冷却装置
２７  機械室
２８  圧縮機
２８Ａ  マグネットスイッチ
２９  凝縮器
３０  凝縮器用送風機
３０Ａ  リレー
３５  冷却器
３６  冷却器用送風機
３６Ａ  リレー
３８  冷却室
４２  表示器
４４  制御装置
４６  温度センサ
Ｒ  冷凍サイクル装置
【図１】
2008241066.tif 000003
【図２】
2008241066.tif 000004
【図３】
2008241066.tif 000005
【図４】
2008241066.tif 000006
【図５】
2008241066.tif 000007